(57)【特許請求の範囲】
【請求項１】
前後に間隔を空けて配置された複数の透光性部材であって、各透光性部材は第１方向に長さを持った、複数の透光性部材（１８ａ、１８ｂ、３０、３２）と、
該複数の透光性部材の互いに対向する透光性部材間において、透光性部材の第１方向に沿って間隔を空けて配置された複数のルーバであって、各ルーバの前後両端部が該対向する透光性部材にそれぞれ接続された、複数のルーバ（２０）と、
互いに対向する透光性部材を第１方向に相対的に移動させて互いに対向する透光性部材同士の距離を変化させる透光性部材駆動部（１４、１６）と、
を備え、
互いに対向する透光性部材を第１方向に相対的に移動させて互いに対向する透光性部材同士の距離を変化させることにより、ルーバの傾斜を可変とし、
互いに対向する透光性部材同士が離間したときに、互いに対向する透光性部材間に配置されたルーバが第１方向に対して略直交して隣り合うルーバの間が開放され、互いに対向する透光性部材同士が接近したときに、互いに対向する透光性部材間に配置されたルーバが第１方向に対して略平行になって隣り合うルーバ同士が部分的に重なり合って、隣り合うルーバの間が閉塞されるようにし、
ルーバが第１方向に対して略直交する状態における前後方向においてルーバは互いに異なる第１部分と第２部分とを有し、ルーバが第１方向に対して略平行状態になったとき、最上端及び最下端に位置するルーバを除いて、前面側の透光性部材を通して第１部分のみがブラインド前面に露出される一方で、後面側の透光性部材を通して第２部分のみがブラインド後面に露出され、
第１部分及び第２部分は、透光性部材同士を接近させる、第１部分と第２部分のそれぞれと接続された透光性部材の移動方向の逆方向に凸となっており、
第１部分と第２部分の幅はそれぞれルーバの幅の１／２であり、隣り合うルーバ同士の間隔はルーバの幅の１／２であるブラインド。
【請求項２】
前記透光性部材は、透光性シートである請求項１記載のブラインド。
【請求項３】
前記透光性部材は、複数の平行な第１方向に延びるコードから構成される請求項１記載のブラインド。
【請求項４】
前記複数の透光性部材は、透光性シートと、複数の平行な第１方向に延びるコードから構成されるものとの組み合わせである請求項１記載のブラインド。
【請求項５】
前記第１部分が意匠柄面を構成し、前記第２部分が日射反射面を構成し、ルーバが透光性部材に対して略平行状態になったとき、前面側の透光性部材を通して意匠柄面がブラインド前面に露出される一方で、後面側の透光性部材を通して日射反射面がブラインド後面全体に露出される請求項１ないし４のいずれか１項に記載のブラインド。
【請求項６】
前記ルーバの第１部分と第２部分との間には、第１方向と平行に一つの中間透光性部材（１８ｃ）が配置される請求項１ないし５のいずれか１項に記載のブラインド。
【請求項７】
前記第１部分と前記第２部分とは、前記中間透光性部材を介して接続され、前記第１方向において互いにずれて配置される請求項６記載のブラインド。
【発明の詳細な説明】
【技術分野】
【０００１】
本発明は、傾斜が可変となったルーバを有するブラインドに関する。
【背景技術】
【０００２】
従来、この種のブラインドとしては、日本国特許第２６１０３６８号公報に記載されたものが知られている。該公報に記載されたブラインドは、半透明な材料よりなる第１のシート材料と、半透明な材料よりなる第２のシート材料とを平行に配置し、第１のシート材料および第２のシート材料に複数の不透明な帯状材料の両縁部部分を接着して窓遮蔽体を構成しており、帯状材料の中央部分が翼板、即ちルーバを形成し、該翼板は窓遮蔽体を閉じた第１の位置で実質的に平面状をなして第１および第２のシート材料にほぼ平行に延びて光の透過を少なくとも部分的に阻止するとともに、窓遮蔽体の開いた第２の位置で第１および第２のシート材料にほぼ交差して延びて翼板間を光が透過し得るように構成している。【０００３】
第１のシート材料と第２のシート材料との間での垂直方向の相対的移動により、翼板の傾斜が変化し、翼板が光を遮る前記第１の位置と、翼板によって光を遮らない前記第２の位置とに、翼板を移動させることができる。
【先行技術文献】
【特許文献】
【０００４】
【特許文献１】日本国特許２６１０３６８号公報
【発明の概要】
【発明が解決しようとする課題】
【０００５】
しかしながら、前記従来のブラインドでは、前記第１の位置において、翼板が半透明の第１及び第２のシートを通して透視されることになるが、前面側から見ても後面側から見ても、その意匠及び／または機能は同じであり、前面側と後面側とで異ならせることができず、意匠性及び／または機能性の乏しい単調なブラインドとなってしまう。【０００６】
例えば、翼板として暗い色の材質を選択すると、翼板を閉じたときに室内側及び室外側において第１及び第２のシートを通して暗い色の翼板が露出し、光を十分に遮蔽することができブラインドの遮蔽性を高めることができる。その一方で、室外側において暗い色は太陽からの日射を吸収してしまうので、夏季の冷房効果を低減させてしまうという問題がある。【０００７】
本発明はかかる課題に鑑みなされたもので、その目的は、ルーバを閉じたときに、ブラインドの前面側と後面側とで意匠性及び／または機能性を異ならしめて、意匠性及び／または機能性を高めることができるブラインドを提供することである。
【課題を解決するための手段】
【０００８】
前述した目的を達成するために、本発明のブラインドは、
前後に間隔を空けて配置された複数の透光性部材であって、各透光性部材は第１方向に長さを持った、複数の透光性部材と、
該複数の透光性部材の互いに対向する透光性部材間において、透光性部材の第１方向に沿って間隔を空けて配置された複数のルーバであって、各ルーバの前後両端部が該対向する透光性部材にそれぞれ接続された、複数のルーバと、
互いに対向する透光性部材を第１方向に相対的に移動させて互いに対向する透光性部材同士の距離を変化させる透光性部材駆動部と、
を備え、
互いに対向する透光性部材を第１方向に相対的に移動させて互いに対向する透光性部材同士の距離を変化させることにより、ルーバの傾斜を可変とし、
互いに対向する透光性部材同士が離間したときに、互いに対向する透光性部材間に配置されたルーバが第１方向に対して略直交して隣り合うルーバの間が開放され、互いに対向する透光性部材同士が接近したときに、互いに対向する透光性部材間に配置されたルーバが第１方向に対して略平行になって隣り合うルーバ同士が部分的に重なり合って、隣り合うルーバの間が閉塞されるようにし、
ルーバが第１方向に対して略直交する状態における前後方向においてルーバは互いに異なる第１部分と第２部分とを有し、ルーバが第１方向に対して略平行状態になったとき、最上端及び最下端に位置するルーバを除いて、前面側の透光性部材を通して第１部分のみがブラインド前面に露出される一方で、後面側の透光性部材を通して第２部分のみがブラインド後面に露出されるようになっている。
【０００９】
前記透光性部材は、透光性シートとすることができる。【００１０】
または、前記透光性部材は、複数の平行な第１方向に延びるコードから構成されることができる。または、前記複数の透光性部材は、透光性シートと、複数の平行な第１方向に延びるコードから構成されるものとの組み合わせとすることができる。【００１１】
また、前記第１部分が意匠柄面を構成し、前記第２部分が日射反射面を構成し、ルーバが透光性部材に対して略平行状態になったとき、前面側の透光性部材を通して意匠柄面がブラインド前面に露出される一方で、後面側の透光性部材を通して日射反射面がブラインド後面全体に露出されることができる。【００１２】
また、前記ルーバの第１部分と第２部分との間には、第１方向と平行に一つの中間透光性部材が配置されることができる。【００１３】
また、前記第１部分と前記第２部分とは、前記中間透光性部材を介して接続され、前記第１方向において互いにずれて配置されることができる。【００１４】
前記隣り合うルーバ同士の間隔は、前記第１部分と前記第２部分の幅の大きくない方の幅以下とすることができる。【００１５】
または、前記隣り合うルーバ同士の間隔は、前記第１部分の幅以下とすることができる。【００１６】
または、前記隣り合うルーバ同士の間隔は、前記第２部分の幅以下とすることができる。【００１７】
または、前記第１部分と前記第２部分の幅はそれぞれルーバの幅の１／２とし、前記隣り合うルーバ同士の間隔はルーバの幅の１／２とすることができる。
【発明の効果】
【００１８】
本発明によれば、ルーバが第１部分と第２部分を有するために、隣り合うルーバ同士が重なり合って、隣り合うルーバの間が閉塞されるときに、最上端及び際下端に位置するルーバを除いて、ブラインドの前面側から見たときに第１部分のみが前面に、後面側から見たときに第２部分のみが後面にそれぞれ露出されるものとすることができる。よって、意匠性または機能性を前面側と後面側とで異ならしめることができる。
【図面の簡単な説明】
【００１９】
【図１】本発明の第１実施形態に係るブラインドの側断面図である。
【図２】図１のブラインドのルーバ間が閉塞された状態を示す側断面図である。
【図３】（ａ）は第１実施形態に係るブラインドのルーバ間が開放された状態を示す部分側断面図であり、（ｂ）はルーバ間が閉塞された状態を示す部分側断面図である。
【図４】第１実施形態に係るシート及びルーバの構造を示す部分斜視図である。
【図５】（ａ）はルーバ間が開放された状態における日射反射効果を示した模式図であり、（ｂ）はルーバ間が閉塞された状態における日射反射効果を示した模式図である。
【図６Ａ】ルーバの第１部分と第２部分の幅とルーバ間のピッチとに応じたルーバの様々な態様を簡略的に表した説明図である。
【図６Ｂ】ルーバの第１部分と第２部分の幅とルーバ間のピッチとに応じたルーバの様々な態様を簡略的に表した参考形態の説明図である。
【図６Ｃ】ルーバの第１部分と第２部分の幅とルーバ間のピッチとに応じたルーバの様々な態様を簡略的に表した別の参考形態の説明図である。
【図７】第２実施形態に係るシートとルーバの構造を示すものであり、（ａ）はルーバ間が開放された状態を示す部分側断面図であり、（ｂ）はルーバ間が閉塞された状態を示す部分側断面図である。
【図８】第２実施形態に係るシートとルーバの構造を示す別の変形例であり、（ａ）はルーバ間が開放された状態を示す部分側断面図であり、（ｂ）はルーバ間が閉塞された状態を示す部分側断面図である。
【図９】第３実施形態に係るシートとルーバの構造を示す部分斜視図である。
【図１０】第４実施形態に係るシートとルーバの構造を示す部分斜視図である。
【発明を実施するための形態】
【００２０】
以下、図面を用いて本発明の実施の形態を説明する。
【００２１】
（第１実施形態）
図１ないし図５は、本発明の第１実施形態に係るブラインドを示す。
【００２２】
窓枠や壁２２等にブラケット１１を介して固定されるセットフレーム１０の両端にサイドプレート１２が設けられており、サイドプレート１２には巻取パイプ１４の両端が軸支されて、巻取パイプ１４がサイドプレート１２に対して回転可能となっている。
【００２３】
巻取パイプ１４には、２枚の透光性部材である透光性シート１８ａ及び１８ｂの上端が円周方向に間隔を空けた位置にそれぞれ接続されており、各シート１８ａ及び１８ｂは、巻取パイプ１４から互いに前後方向に間隔を空けて垂下される。各シート１８ａ及び１８ｂは、半透明または透明シートで構成され、全く同じ構成のシートであってもよく、または異なる構成のシートであってもよい。従って、各シート１８ａ及び１８ｂは、その光透過率が異なるものであってもよいが、少なくとも以下で説明するルーバ２０を透視することができる程度の光透過率を有している。
【００２４】
前後のシート１８ａ及び１８ｂ間には、図３（ａ）及び図４に示すように、複数のルーバ２０がシート１８ａ及び１８ｂの上下方向（第１方向）に沿って間隔を空けて整列状態に配置されており、各ルーバ２０の前後端部はそれぞれが前後のシート１８ａ及び１８ｂに接続されている。
【００２５】
前後のシート１８ａ及び１８ｂ間の距離が変化することで、ルーバ２０はその傾斜角度を変化させることができる。そして、各ルーバ２０は、図３（ａ）及び図４に示すように、前後のシート１８ａ及び１８ｂが離間しているときには、これらに対して略直交する状態となり、よって、隣り合うルーバ２０間が開放された状態となる。一方、図３（ｂ）に示すように、前後のシート１８ａ及び１８ｂが接近しているときには、各ルーバ２０は前後のシート１８ａ及び１８ｂに対して略平行状態となり、隣り合うルーバ同士が部分的に重なり合って、隣り合うルーバ２０の間が閉塞された状態となる。
【００２６】
各ルーバ２０は、合成樹脂繊維または天然繊維からなる織布、編布、不織布、紙シート、合成樹脂シート、木材シートといった任意の材質からなるシートであり、好ましくは可撓性を有する。さらに、各ルーバ２０は、前後のシート１８ａ及び１８ｂに対して略直交する状態における前後方向において互いに異なる第１部分２０ａと第２部分２０ｂとを有している。
【００２７】
ここで、第１部分２０ａと第２部分２０ｂが異なるとは、色、模様、材質、光透過率、光反射率または光吸収率等の性質が異なるために、意匠性または機能性が異なったことを意味する。例えば、繊維の種類（色、太さ、材質）またはその織り方、編み方を変えたり、または別の種類の布またはシートを任意の接合手段で接合したりすることで、ルーバ２０を部分的に異なるようにすることができる。１つの例では、第１部分２０ａが意匠性のある意匠柄面を構成するとともに第２部分２０ｂが第１部分２０ａよりも光反射率が高く光吸収率が低い日射反射面（白色の面）を構成することができる。
【００２８】
好ましくは、第１部分２０ａと第２部分２０ｂは、図３（ａ）に示すように緩やかな横向きのＳ字断面形状をなしているとよく、第１部分２０ａは上向きに凸となっており、第２部分２０ｂは下向きに凸となっている。
【００２９】
巻取パイプ１４の一端には図示していないプーリが設けられており、プーリはこれに巻き掛けられる操作チェーン１６によって回転駆動され、この回転を巻取パイプ１４に伝達可能となっている。また、巻取パイプ１４内には、巻取パイプ１４の回転を停止させる状態と回転を許容する状態とに切り換えるストッパが設けられる。ストッパはロールスクリーンにおいて公知の任意のストッパで構成することができる。これらの巻取パイプ１４、操作チェーン１６、プーリ、ストッパによって透光性シート１８ａ、１８ｂを駆動する透光性部材駆動部が構成される。
【００３０】
セットフレーム１０には、巻取パイプ１４の前面に位置し、巻取パイプ１４を覆うカバー部２１が形成されている。
【００３１】
ブラインドを窓辺に設定する場合には、原則的には、前面側は室内側となり、後面側は室外側となる。
【００３２】
次に、第１実施形態に係るブラインドの動作について説明する。
【００３３】
図１及び図４に示すように、２枚の透光性シート１８ａ、１８ｂが離間して各ルーバ２０が前後の透光性シート１８ａ及び１８ｂに対して略直交する状態にあるときには、隣り合うルーバ２０間が開放されている。図５（ａ）に示すように、ブラインドが窓辺に設定されている場合、太陽２６からの日射２８が図５（ａ）中矢印で示すように、窓２４から室内に差し込み、窓２４から差し込んだ日射２８は、後面側の透光性シート１８ｂを通過した後、ルーバ２０に当たり、第２部分２０ｂで反射して斜め上方に向って前面側のシート１８ａを通過して室内に差し込む。
【００３４】
朝夕や冬季など太陽高度が低い場合には、ルーバ２０に当たった日射は、第２部分２０ｂで反射されるのみならず、更に第１部分２０ａにおいて吸収される。
【００３５】
また、前後の透光性シート１８ａ及び１８ｂの織り密度を大きくするなどして光透過率を低くすれば、シート１８ａ及び１８ｂ間に中空層ができるため、断熱効果を期待することができる。
【００３６】
次に、開放されているルーバ２０間を閉塞するには、操作チェーン１６の室内側を引き下ろす操作をし、巻取パイプ１４を図１中反時計方向に回転させる。すると、図２に示すように、後面側の透光性シート１８ｂが巻取パイプ１４に巻き取られて上昇し、前面側の透光性シート１８ａの上端部が、巻取パイプ１４の室外側の位置に移動する。これにより、２枚の透光性シート１８ａ、１８ｂが接近して、ルーバ２０の傾斜が変化し、第１部分２０ａが第２部分２０ｂに対して相対的に下方に変位する（図３（ｂ））。このとき、第１部分２０ａが上向きに凸となっており、第２部分２０ｂが下向きに凸となっているために、第１部分２０ａが前面側の透光性シート１８ａから該シート１８ａに沿って相対的に下側から平行に倣い、第２部分２０ｂが後面側の透光性シート１８ｂから該シート１８ｂに沿って相対的に上側から平行に倣うことができる。図２及び図５（ｂ）に示すように、ルーバ２０が前後の透光性シート１８ａ及び１８ｂに対して略平行な状態になると、互いに隣り合う上下のルーバ２０の一部同士が重なり合い、ルーバ２０間が閉塞される。
【００３７】
ルーバ２０間が閉塞された状態では、前面側の透光性シート１８ａと後面側の透光性シート１８ｂを通して透視されるルーバ２０の第１部分２０ａと第２部分２０ｂの露出程度が異なるようになっている。
【００３８】
即ち、図３に良く示したように、室外側である後面側から見ると、後面側の透光性シート１８ｂを通して日射反射面である第２部分２０ｂがブラインド後面全体に露出され、窓２４に日射反射面が対面することになる。このため、太陽２６からの日射２８が、図５（ｂ）中矢印で示すように、窓２４から差し込んでも、日射反射面である第２部分２０ｂで反射され、再び窓２４を通過して室外に出ていくことができる。例えば、日射反射面が白色であるとすると、窓２４から差し込んできた日射の６５％程度を反射させることができる。
【００３９】
このように、第２部分２０ｂの日射反射効率が高いため、太陽２６からの日射２８をルーバ２０の窓２４と対面する第２部分２０ｂで効率よく反射させることができ、夏季の冷房効率を高めることができる。
【００４０】
また、室内側である前面側から見ると、前面側の透光性シート１８ａを通じて意匠面である第１部分２０ａがブラインド前面全体に露出されることになるので、室内側から見たブラインドの意匠を快適なものとすることができる。
【００４１】
こうして、室内側と室内側とで意匠性及び機能性を異ならせることで、ブラインドの意匠性と機能性を高めることができる。
【００４２】
さらに操作チェーン１６の室内側を引き下ろす操作をし、巻取パイプ１４を図１中反時計方向に回転させると、巻取パイプ１４がシート１８ａ、１８ｂをルーバ２０と共に巻き取っていくので、ブラインドが設定された窓２４を完全に開放することができる。
【００４３】
次に、図６Ａ〜Ｃに基づいて、各ルーバ２０の第１部分２０ａの前後方向の幅と第２部分２０ｂの前後方向の幅と各ルーバ２０間のピッチに応じて、互いに隣り合うルーバ２０が部分的に重なり合ってルーバ２０間が閉塞されたときのルーバ２０を室内側（前面側）から見た第１部分２０ａと第２部分２０ｂの露出程度と、室外側（後面側）から見た第１部分２０ａと第２部分２０ｂの露出程度とがどのように変化するかを説明する。
【００４４】
図６Ａ〜Ｃにおいて、各ルーバ２０の第１部分２０ａの前後方向の幅をａ、第２部分２０ｂの前後方向の幅をｂ、各ルーバ２０の前後方向の幅をｘ、各ルーバ２０間のピッチｙとおき、第１部分２０ａが第２部分２０ｂよりも下方に変位しているものとする。尚、図６では、理解を容易にするために隣り合うルーバ２０を左右にずらして表わしており、図６の点線で囲まれた部分が実際に見えるブラインドの一般部分（上端及び下端を除いた部分の一部を言う）を表している。
【００４５】
図６Ａは、ピッチｙ≦ｍｉｎ（ａ，ｂ）を満足する場合を示す。ここで、ｍｉｎ（ａ，ｂ）は、ａとｂのうち大きくない方を表す。
【００４６】
（１）〜（４）に示すように、互いに隣り合う上のルーバ２０の第１部分２０ａの下端が、下のルーバの第１部分２０ａと第２部分２０ｂの境界と同じ位置かまたはそれよりも下方に位置し、且つ互いに隣り合う上のルーバ２０の第１部分２０ａと第２部分２０ｂの境界が、下のルーバの第２部分２０ｂの上端と同じ位置かまたはそれよりも下方に位置するので、室内側から見ると第１部分２０ａが全面に露出し、室外側から見ると第２部分２０ｂが全面に露出した状態となる。尚、（１）は、図３に示した場合に相当する。
【００４７】
図６Ｂは、参考形態であり、ｍｉｎ（ａ，ｂ）＜ｙ≦ｍａｘ（ａ，ｂ）を満足する場合を示す。ここで、ｍａｘ（ａ，ｂ）は、ａとｂのうち小さくない方を表す。
【００４８】
（１）においては、互いに隣り合う上のルーバ２０の第１部分２０ａの下端が、下のルーバの第１部分２０ａと第２部分２０ｂの境界よりも上方に位置し、且つ互いに隣り合う上のルーバ２０の第１部分２０ａと第２部分２０ｂの境界が、下のルーバの第２部分２０ｂの上端と同じ位置かまたはそれよりも下方に位置するので、室内側からは第１部分２０ａと第２部分２０ｂが交互に露出し、室外側からは第２部分２０ｂが全面に露出した状態となる。
【００４９】
（２）においては、互いに隣り合う上のルーバ２０の第１部分２０ａの下端が、下のルーバの第１部分２０ａと第２部分２０ｂの境界と同じ位置かまたはそれよりも下方に位置し、且つ互いに隣り合う上のルーバ２０の第１部分２０ａと第２部分２０ｂの境界が、下のルーバの第２部分２０ｂの上端と同じ位置かまたはそれよりも上方に位置するので、室内側から見ると第１部分２０ａが全面に露出し、室外側から見ると第１部分２０ａと第２部分２０ｂとが交互に露出した状態となる。
【００５０】
図６Ｃは、別の参考形態であり、ｙ＞ｍａｘ（ａ，ｂ）を満足する場合を示す。
【００５１】
（１）〜（３）に示すように、互いに隣り合う上のルーバ２０の第１部分２０ａの下端が、下のルーバの第１部分２０ａと第２部分２０ｂの境界よりも上方に位置し、且つ互いに隣り合う上のルーバ２０の第１部分２０ａと第２部分２０ｂの境界が、下のルーバの第２部分２０ｂの上端よりも上方に位置するので、室内側から見ると第１部分２０ａと第２部分２０ｂが交互に露出し、室外側から見ると第１部分２０ａと第２部分２０ｂとが交互に露出した状態となる。第１部分２０ａと第２部分２０ｂの比率は、ａとｂとの比率に応じて、室内側と室外側とで異なるものとなる。
【００５２】
以上の図６Ａ〜Ｃから、前面側において第１部分２０ａがブラインド全体に露出され、後面側において第２部分２０ｂがブラインド全体に露出されるようにするためには、ルーバ２０同士のピッチ即ち間隔を、第１部分２０ａと第２部分２０ｂの幅の大きくない方の幅以下とすればよいことが分かる。この条件の範囲で、ルーバ２０同士のピッチ即ち間隔を最も大きくするには、第１部分２０ａの幅と第２部分２０ｂの幅を同じ、即ちルーバの幅の１／２とし、ピッチをルーバ２０の幅の１／２にすればよいことが分かる。
【００５３】
また、少なくとも前面側において、第１部分２０ａがブラインド全体に露出されるようにするためには、ルーバ２０同士のピッチ即ち間隔を、第１部分２０ａの幅以下にすればよい。同様に、少なくとも後面側において、第２部分２０ｂがブラインド全体に露出されるようにするためには、ルーバ２０同士のピッチ即ち間隔を、第２部分２０ｂの幅以下にすればよい、ことが分かる。
【００５４】
このように、各ルーバ２０の第１部分２０ａの前後方向の幅ａと第２部分２０ｂの前後方向の幅ｂとルーバ２０間のピッチｙに応じて、前面側（室内側）と後面側（室外側）とで意匠性または機能性を異ならせることができる。
【００５５】
（第２実施形態）
次に、図７に基づいて第２実施形態について説明する。
【００５６】
以下の説明において、第１実施形態と同じ構成については説明を省略し、同じ部材については同じ符号を付すものとする。
【００５７】
前後に間隔を空けた２枚の透光性シート１８ａ、１８ｂの間にこれらに平行に中間透光性シート１８ｃが配置されており、中間透光性シート１８ｃは、ルーバ２０の第１部分２０ａと第２部分２０ｂの間に配置される。
【００５８】
即ち、第１部分２０ａは、その前端部が透光性シート１８ａに接続され、その後端部が透光性中間シート１８ｃに接続され、第２部分２０ｂは、その前端部が中間透光性シート１８ｃに接続され、その後端部が透光性シート１８ｂに接続されており、第１部分２０ａと第２部分２０ｂとは中間透光性シート１８ｃを介して接続されるようになっている。また、この場合には、第１部分２０ａ、第２部分２０ｂのそれぞれが横向きのＳ字断面形状をなしている。
【００５９】
図７（ａ）に示すように、隣り合うルーバ２０間が開放されているときには、第１部分２０ａと第２部分２０ｂは、互いに離間した各シート１８ａ、１８ｂ及び１８ｃに対して略直交する状態となり、且つ互いに同じ高さ位置に配置される。
【００６０】
一方、図７（ｂ）に示すように、隣り合うルーバ２０間が閉塞されているときには、第１部分２０ａと第２部分２０ｂは、互いに接近した各シート１８ａ、１８ｂ及び１８ｃに対して略平行状態となり、第１部分２０ａが第２部分２０ｂに対して相対的に下方に変位している。
【００６１】
この第２実施形態においても、中間透光性シート１８ｃが有ることを除いて第１実施形態と同様に作用させることができる。
【００６２】
この第２実施形態で示すように、ルーバ２０の第１部分２０ａと第２部分２０ｂは必ずしも直接連続していなくともよい。
【００６３】
図８は、第２実施形態の変形例であり、隣り合うルーバ２０間が開放されているときには、図８（ａ）に示すように、第１部分２０ａと第２部分２０ｂとが、互いに離間した各シート１８ａ、１８ｂ及び１８ｃに対して略直交する状態となり、且つ上下方向に隣り合う第１部分２０ａの第１方向中間位置に第２部分２０ｂが位置するように配置される。
【００６４】
一方、隣り合うルーバ２０間が閉塞されているときには、図８（ｂ）に示すように、第１部分２０ａと第２部分２０ｂは、互いに接近した各シート１８ａ、１８ｂ及び１８ｃに対して略平行状態となり、且つ第１部分２０ａが第２部分２０ｂに対して相対的に下方に変位する。
【００６５】
この変形例においても、前面側（室内側）と後面側（室外側）とで第１部分２０ａと第２部分２０ｂの露出程度を異ならせることができ、意匠性または機能性を異ならせることができる。
【００６６】
（第３実施形態）
図９に基づいて第３実施形態について説明する。
【００６７】
以下の説明において、第１実施形態と同じ構成については説明を省略し、同じ部材については同じ符号を付すものとする。
【００６８】
本実施形態のものは、第１実施形態の前面側の透光性シート１８ａに代えて、透光性部材としての複数本の支持コード３０が幅方向に間隔を空けて平行に駆動部の巻取パイプ１４から垂下しており、第１部分２０ａの前端部が各支持コード３０に接続されている。
【００６９】
この実施形態においても、前面側からは、支持コード３０の間からルーバ２０が露出されるために、第１実施形態と同様に作用させることができる。
【００７０】
なお、本実施形態では、前面側の透光性シート１８ａに代えて複数本の支持コード３０を垂下することとしたが、これとは逆に、後面側の透光性シート１８ｂに代えて複数本の支持コードを垂下することとしてもよい。
【００７１】
（第４実施形態）
図１０に示す第４実施形態は、第３実施形態の後面側の透光性シート１８ｂに代えて、透光性部材としての複数本の支持コード３２が幅方向に間隔を空けて平行に駆動部の巻取パイプ１４から垂下しており、第２部分２０ｂの後端部が各支持コード３２に接続されている。
【００７２】
この実施形態においても、前面側のみならず後面側からも、支持コード３２の間からルーバ２０が露出されるために、前実施形態と同様に作用させることができる。
【００７３】
第３実施形態及び第４実施形態では、隣り合うルーバ２０間を閉塞したときに、ルーバ２０を覆う透光性シートが存在しないため、透光性シートを介することなく直接、第１部分２０ａまたは第２部分２０ｂによる意匠性または機能性を享受することができる。
【００７４】
また、ルーバ２０の前後が透光性シートで覆われないため、ルーバ２０と透光性シートによって構成される閉空間が存在せず、この閉空間に虫が侵入してしまうような心配もない。
【００７５】
尚、前記各実施形態では、各ルーバ２０を透光性部材に対して第１方向としての上下方向に配設したが、これに限定されるものではなく、例えば、第１方向としての左右方向に間隔を空けて整列状態で配置することも可能である。
【符号の説明】
【００７６】
１４  巻取パイプ（透光性部材駆動部）
１６  操作チェーン（透光性部材駆動部）
１８ａ  透光性シート（透光性部材）
１８ｂ  透光性シート（透光性部材）
１８ｃ  中間透光性シート（中間透光性部材）
２０  ルーバ
２０ａ  第１部分
２０ｂ  第２部分
３０  支持コード（透光性部材）
３２  支持コード（透光性部材）
【図１】
0005854475.tif 000002
【図２】
0005854475.tif 000003
【図３】
0005854475.tif 000004
【図４】
0005854475.tif 000005
【図５】
0005854475.tif 000006
【図６Ａ】
0005854475.tif 000007
【図６Ｂ】
0005854475.tif 000008
【図６Ｃ】
0005854475.tif 000009
【図７】
0005854475.tif 000010
【図８】
0005854475.tif 000011
【図９】
0005854475.tif 000012
【図１０】
0005854475.tif 000013